(57)【要約】【課題】  光信号を送信しまたは受信する送受信モジュールがハウジングに装着されており、送受信モジュールを多方向からシールドすることができる光コネクタを提供する。【解決手段】  ハウジング１０には、プラグ連結部１１とモジュール装着部１２、および溝部１５が形成されている。ハウジング１０には上下から第１のシールド部材２０と第２のシールド部材３０とが装着される。第１のシールド部材２０に形成された右境界シールド部２４と左境界シールド部２５が溝部１５に入り込み、第２のシールド部材３０に形成された中央境界シールド部３５が溝部１５に入り込む。モジュール装着部１２の前方が、右境界シールド部２４と左境界シールド部２５および中央境界シールド部３５で覆われることで、送受信モジュール２，３を外部ノイズから保護できるようになる。【選択図】図１
2010210655.tif 000002
【特許請求の範囲】
【請求項１】
光ファイバを保持したプラグが装着されるハウジングと、前記ハウジングに取り付けられて前記光ファイバで伝送された光信号を受光しまたは前記光ファイバに光信号を与える送受信モジュールとを有する光コネクタにおいて、
前記ハウジングに、前記プラグが連結されるプラグ連結部と、前記送受信モジュールが取り付けられるモジュール装着部と、前記プラグ連結部と前記モジュール装着部との間へハウジング表面から入り込む溝部とが形成されており、
外部シールド部と境界シールド部とを有する導電性のシールド部材が設けられ、前記外部シールド部が前記ハウジングの前記モジュール装着部の表面に設置され、前記境界シールド部が前記溝部に入り込んでいることを特徴とする光コネクタ。
【請求項２】
前記ハウジングは、前記プラグ連結部と前記モジュール装着部との間に連結部を有し、前記溝部は前記ハウジングの表面から前記連結部の外側部まで連続しており、前記連結部の内部に、前記プラグに保持された前記光ファイバと前記モジュール装着部に装着された送受信モジュールとを光学的に結合する結合素子が装着されている請求項１記載の光コネクタ。
【請求項３】
前記モジュール装着部に装着された前記送受信モジュールが前記外部シールド部で覆われている請求項１または２記載の光コネクタ。
【請求項４】
前記外部シールド部に前記送受信モジュールを前記ハウジングに押圧する押圧弾性片が設けられている請求項３記載の光コネクタ。
【請求項５】
光ファイバを保持したプラグが装着されるハウジングと、前記ハウジングに取り付けられて前記光ファイバで伝送された光信号を受光しまたは前記光ファイバに光信号を与える送受信モジュールとを有する光コネクタにおいて、
前記ハウジングに、前記プラグが連結されるプラグ連結部と、前記送受信モジュールが取り付けられるモジュール装着部と、前記プラグ連結部と前記モジュール装着部との間へハウジング表面から入り込む溝部とが形成されており、
前記ハウジングに装着される導電性の第１のシールド部材と第２のシールド部材とが設けられ、前記第１のシールド部材と前記第２のシールド部材の少なくとも一方に、前記ハウジングの前記モジュール装着部の表面に設置される外部シールド部が設けられ、前記第１のシールド部材と前記第２のシールド部材の少なくとも一方に、前記溝部に入り込む境界シールド部が設けられていることを特徴とする光コネクタ。
【請求項６】
前記ハウジングは、前記プラグ連結部と前記モジュール装着部との間に連結部を有し、前記溝部は前記ハウジングの表面から前記連結部の外側部まで延びており、前記連結部の内部に、前記プラグに保持された前記光ファイバと前記モジュール装着部に装着された送受信モジュールとを光学的に結合する結合素子が装着されている請求項５記載の光コネクタ。
【請求項７】
前記第１のシールド部材と前記第２のシールド部材の双方に、前記境界シールド部が設けられており、
前記第１のシールド部材と前記第２のシールド部材とが前記ハウジングを挟んで互いに反対側から前記ハウジングに装着されて、前記第１のシールド部材に設けられた境界シールド部と前記第２のシールド部材に設けられた境界シールド部とが、前記溝部内において、前記連結部を挟む両側に位置している請求項６記載の光コネクタ。
【請求項８】
前記第１のシールド部材に設けられた境界シールド部と前記第２のシールド部材に設けられた境界シールド部とが、前記溝部内において凹凸嵌合している請求項７記載の光コネクタ。
【請求項９】
前記モジュール装着部に装着された前記送受信モジュールが、前記第１のシールド部材に設けられた前記外部シールド部で覆われる請求項５ないし８のいずれかに記載の光コネクタ。
【請求項１０】
前記第１のシールド部材の前記外部シールド部に、前記送受信モジュールを前記ハウジングに押圧する押圧弾性片が設けられている請求項９記載の光コネクタ。
【請求項１１】
前記第２のシールド部材に補強片が設けられており、この補強片が、前記第１のシールド部材の前記外部シールド部と前記押圧弾性片との間に介入して、前記押圧弾性片が前記送受信モジュールを押圧する力が補強されている請求項１０記載の光コネクタ。
【発明の詳細な説明】
【技術分野】
【０００１】
本発明は、光信号を受信しまたは発信する送受信モジュールと光ファイバとを結合する光コネクタに係り、特に送受信モジュールを保護するシールド部材が設けられた光コネクタに関する。
【背景技術】
【０００２】
以下の各特許文献に記載されている光コネクタは、光ファイバを保持するプラグが連結されるハウジングを有しており、このハウジングに、光ファイバからの光信号を受信する送受信モジュールや光ファイバに光信号を送る送受信モジュールが搭載されている。この種の光コネクタでは、送受信モジュールが外部ノイズの影響を受けにくいように、送受信モジュールをシールド部材で覆うことが好ましい。
【０００３】
以下の特許文献１に記載された光コネクタは、ハウジングに、光ファイバを保持したプラグが連結されるプラグ連結部と、送受信モジュールが装着されるモジュール装着部とが一体に形成されており、金属板で形成されたシールド部材によって、前記モジュール装着部の上面および背面および側面が覆われている。
【０００４】
しかし、特許文献１に記載されたコネクタは、プラグ連結部が開口している前方にシールド部材が設けられていないため、プラグ連結部の前方からの外部ノイズから送受信モジュールを保護することができず、外部ノイズによって受信信号や送信信号にノイズが重畳しやすい。
【０００５】
特許文献２に記載された光コネクタは、プラグ連結部を有するハウジングと、送受信モジュールが装着されるモジュールケースとが別体に形成されており、送受信モジュールとモジュールケースが箱状のシールドケースの内部に収納され、このシールドケースがハウジングに取り付けられる。
【０００６】
特許文献２に記載の光コネクタは、モジュールケースとプラグ連結部との間にシールドケースが介在するために、プラグ連結側からの外部ノイズから送受信モジュールを保護することが可能である。しかし、この光コネクタは、ハウジングとモジュールケースとが別体に形成されているために、部品点数が多くなる。また、モジュールケースと送受信モジュールを箱状のシールドケースに挿入するという煩雑な組み立て工程が必要となり、さらにシールドケースをハウジングに取り付ける際に、送受信モジュールとプラグ連結部との相対位置を調整しながら組み立てることが必要となって組み立てコストが高くなる。
【０００７】
特許文献３と特許文献４に記載された光コネクタは、送受信モジュールの前方に金具を嵌着して、この金具で部品の固定を行うとともに、前記金具でシールド効果を発揮させている。
【０００８】
しかし、特許文献３と特許文献４に記載された発明は、Ｕ字状に曲げられた金具を変形させてハウジングに装着する構造であるため、金具の取付け作業が煩雑である。また、金具がＵ字状であるため、この金具を装着するために前後に長いスペースが必要となって光コネクタを短くすることに限界がある。
【先行技術文献】
【特許文献】
【０００９】
【特許文献１】特開２００５−７０４６６号公報
【特許文献２】特開２００５−２４９４４号公報
【特許文献３】特開２００３−３２９８９１号公報
【特許文献４】特開２００８−１８１０１４号公報
【発明の概要】
【発明が解決しようとする課題】
【００１０】
本発明は上記従来の課題を解決するものであり、ハウジングに装着される送受信モジュールが、プラグ連結部側からの外部ノイズの影響を受けにくい構造とした光コネクタを提供することを目的としている。
【００１１】
また、本発明は、簡単な組み立て工程で、プラグ連結部とモジュール装着部との間にシールド部材を介在させることができる光コネクタを提供することを目的としている。
【課題を解決するための手段】
【００１２】
本発明は、光ファイバを保持したプラグが装着されるハウジングと、前記ハウジングに取り付けられて前記光ファイバで伝送された光信号を受光しまたは前記光ファイバに光信号を与える送受信モジュールとを有する光コネクタにおいて、
前記ハウジングに、前記プラグが連結されるプラグ連結部と、前記送受信モジュールが取り付けられるモジュール装着部と、前記プラグ連結部と前記モジュール装着部との間へハウジング表面から入り込む溝部とが形成されており、
外部シールド部と境界シールド部とを有する導電性のシールド部材が設けられ、前記外部シールド部が前記ハウジングの前記モジュール装着部の表面に設置され、前記境界シールド部が前記溝部に入り込んでいることを特徴とするものである。
【００１３】
上記光コネクタは、シールド部材に境界シールド部が形成されており、この境界シールド部がハウジングの溝部の内部に差し込まれることで、モジュール装着部に装着された送受信モジュールがプラグ連結部側からシールドされる。プラグ連結部とモジュール装着部を一体に形成できるので部品数を削減でき、連結されるプラグと送受信モジュールとの位置決めも容易である。また、境界シールド部を溝部に差し込むことでハウジングとシールド部材とを簡単に組み立てることができる。
【００１４】
なお、本明細書での「送受信モジュール」とは、光の受信のみを行う「受信モジュール」と、光の送信のみを行う「送信モジュール」と、送信部と受信部の双方の機能を搭載したモジュールの全てを総称する技術用語である。
【００１５】
例えば、本発明は、前記ハウジングは、前記プラグ連結部と前記モジュール装着部との間に連結部を有し、前記溝部は前記ハウジングの表面から前記連結部の外側部まで連続しており、前記連結部の内部に、前記プラグに保持された前記光ファイバと前記モジュール装着部に装着された送受信モジュールとを光学的に結合する結合素子が装着されているものである。
【００１６】
本発明は、結合素子が装着される連結部の周囲の領域を利用し、ここに溝部が形成されて境界シールド部が挿入されるために、境界シールド部が入り込む溝部が形成されていても、ハウジングの前後方向の寸法が過剰に大きくなることがない。
【００１７】
本発明は、前記モジュール装着部に装着された前記送受信モジュールが前記外部シールド部で覆われているものである。この場合に、前記外部シールド部に前記送受信モジュールを前記ハウジングに押圧する押圧弾性片が設けられていることが好ましい。
【００１８】
前記弾性押圧片で、送受信モジュールをモジュール装着部に押し付けて、送受信モジュールを位置決めして動かないように保持することが可能である。
【００１９】
次に、本発明は、光ファイバを保持したプラグが装着されるハウジングと、前記ハウジングに取り付けられて前記光ファイバで伝送された光信号を受光しまたは前記光ファイバに光信号を与える送受信モジュールとを有する光コネクタにおいて、
前記ハウジングに、前記プラグが連結されるプラグ連結部と、前記送受信モジュールが取り付けられるモジュール装着部と、前記プラグ連結部と前記モジュール装着部との間へハウジング表面から入り込む溝部とが形成されており、
前記ハウジングに装着される導電性の第１のシールド部材と第２のシールド部材とが設けられ、前記第１のシールド部材と前記第２のシールド部材の少なくとも一方に、前記ハウジングの前記モジュール装着部の表面に設置される外部シールド部が設けられ、前記第１のシールド部材と前記第２のシールド部材の少なくとも一方に、前記溝部に入り込む境界シールド部が設けられていることを特徴とするものである。
【００２０】
また、本発明は、前記ハウジングは、前記プラグ連結部と前記モジュール装着部との間に連結部を有し、前記溝部は前記ハウジングの表面から前記連結部の外側部まで延びており、前記連結部の内部に、前記プラグに保持された前記光ファイバと前記モジュール装着部に装着された送受信モジュールとを光学的に結合する結合素子が装着されているものである。
【００２１】
本発明は、前記第１のシールド部材と前記第２のシールド部材の双方に、前記境界シールド部が設けられており、
前記第１のシールド部材と前記第２のシールド部材とが前記ハウジングを挟んで互いに反対側から前記ハウジングに装着されて、前記第１のシールド部材に設けられた境界シールド部と前記第２のシールド部材に設けられた境界シールド部とが、前記溝部内において、前記連結部を挟む両側に位置している。
【００２２】
上記のように、第１のシールド部材と第２のシールド部材の双方に境界シールド部が形成されていると、両方の境界シールド部によって、連結部の周囲の広い範囲を覆うことができ、送受信モジュールに対する前方のシールド効果を高めることができる。
【００２３】
さらに、本発明は、前記第１のシールド部材に設けられた境界シールド部と前記第２のシールド部材に設けられた境界シールド部とが、前記溝部内において凹凸嵌合していることが好ましい。
【００２４】
上記凹凸嵌合により、第１のシールド部の境界シールド部と第２のシールド部の境界シールド部とを互いに連結することができ、連結部の周囲に形成される境界シールド部の隙間を最小にできるようになる。
【００２５】
また、前記モジュール装着部に装着された前記送受信モジュールが、前記第１のシールド部材に設けられた前記外部シールド部で覆われることが好ましい。
【００２６】
この場合に、前記第１のシールド部材の前記外部シールド部に、前記送受信モジュールを前記ハウジングに押圧する押圧弾性片が設けられているものにでき、さらに前記第２のシールド部材に補強片が設けられており、この補強片が、前記第１のシールド部材の前記外部シールド部と前記押圧弾性片との間に介入して、前記押圧弾性片が前記送受信モジュールを押圧する力が補強されている構造とすることが可能である。
【発明の効果】
【００２７】
本発明の光コネクタは、プラグ連結部とモジュール装着部との間に境界シールド部を配置できるので、プラグ連結部からの外部ノイズから送受信モジュールを保護しやすくなる。
【００２８】
また、本発明は、ハウジングに、プラグ連結部とモジュール装着部とが一体に形成されて、その間に境界シールド部を介入させる構造であるため、部品数が多くなることがなく、またハウジングが前後に長くなることもない。また、送受信モジュールとプラグとの相対位置を高精度に維持しながら、プラグ連結部側からの外部ノイズから送受信モジュールを保護することができる。
【図面の簡単な説明】
【００２９】
【図１】本発明の実施の形態の光コネクタの分解斜視図、
【図２】図１をＩＩ矢視方向から見た分解側面図、
【図３】図１をＩＩＩ矢視方向から見た分解正面図、
【図４】組み立てられた状態の光コネクタを示す断面図であり、図２に示すＩＶ−ＩＶ線での矢視断面に相当する断面図である。
【図５】組み立てられた状態の光コネクタを示す断面図であり、図４に示すＶ−Ｖ線での矢視断面に相当する断面図である。
【図６】組み立てられた状態の光コネクタを示す断面図であり、図４に示すＶＩ−ＶＩ線での矢視断面に相当する断面図である。
【発明を実施するための形態】
【００３０】
図１に示す実施の形態の光コネクタ１は、レセプタクルとして使用されるものであり、合成樹脂で形成された非導電性のハウジング１０に、送受信モジュール２と３が装着される。送受信モジュール２と３の一方が発光用のモジュールであり、他方が受光用のモジュールである。また、ハウジング１０には、一方の送受信モジュール２に対向する結合素子４と他方の送受信モジュール３に対向する結合素子５が保持されている。
【００３１】
ハウジング１０には、２本の光ファイバを保持したプラグが装着される。プラグがハウジング１０に装着されると、一方の光ファイバのコアと送受信モジュール２とが結合素子４を介して光学的に結合され、他方の光ファイバのコアと送受信モジュール３とが結合素子５を介して光学的に結合される。
【００３２】
図１と図２に示すように、ハウジング１０は、前方（Ｙ１方向）のプラグ連結部１１と後方（Ｙ２方向）のモジュール装着部１２とに区分されている。プラグ連結部１１とモジュール装着部１２との間は、図２と図４に示される２つの連結部１３，１４で連結されている。プラグ連結部１１とモジュール装着部１２および２つの連結部１３，１４は互いに分離することのないように合成樹脂材料で一体に形成されている。
【００３３】
図４に示すように、連結部１３はＸ１側に形成され、連結部１４はＸ２側に形成されている。連結部１３と連結部１４の断面形状は同じであり、連結部１３の外側部１３ａの形状と連結部１４の外側部１４ａの形状は同じである。図１と図２に示すように、ハウジング１０のプラグ連結部１１とモジュール装着部１２との間には溝部１５が形成されている。
【００３４】
図２と図４に示すように、前記溝部１５は、ハウジング１０のＸ１側に向く表面１０ａとＸ２側に向く表面１０ｂならびにＺ１側（上側）に向く表面１０ｃとＺ２側（下側）に向く表面１０ｄの４つの表面から、連結部１３の外側部１３ａおよび連結部１４の外側部１４ａまで連続して形成されている。図４に示すように、連結部１３の外側部１３ａと連結部１４の外側部１４ａとの間にも、前記溝部１５が存在している。
【００３５】
図２および図５と図６に示すように、溝部１５は、プラグ連結部１１の後側壁１１ａの外面と、モジュール装着部１２の前側壁１２ａの外面とで挟まれて、連結部１３，１４の外側部１３ａ，１４ａの外周に形成されている。溝部１５は、ハウジング１０の前記表面１０ａ，１０ｂ，１０ｃ，１０ｄでのみ外部空間と連通しており、溝部１５はハウジング１０の内部と連通していない。
【００３６】
図４に示すように、連結部１３の中心部には結合穴１３ｂが形成されており、連結部１４の中心部には結合穴１４ｂが形成されている。図６に示すように、連結部１３の中心部に形成された結合穴１３ｂは、プラグ連結部１１とモジュール装着部１２に連通するように前後方向（Ｙ１−Ｙ２方向）へ貫通して形成されている。同様に、連結部１４の中心部に形成された結合穴１４ｂも、プラグ連結部１１とモジュール装着部１２に連通するように前後方向（Ｙ１−Ｙ２方向）に貫通して形成されている。
【００３７】
図３および図５と図６に示すように、ハウジング１０のプラグ連結部１１には、プラグ装着凹部１６が形成されている。図３に示すように、プラグ装着凹部１６は、後方（Ｙ２方向）が前記後側壁１１ａで塞がれ、Ｘ１側が側壁１１ｂ、Ｘ２側が側壁１１ｃ、Ｚ１側が上壁１１ｄ、Ｚ２側が下壁１１ｅでそれぞれ囲まれており、前方（Ｙ１方向）にのみ開口している。
【００３８】
図３に示すように、プラグ装着凹部１６のＸ１側の側壁１１ｂの内面に、前後に延びる複数の嵌合リブ１６ａが形成され、Ｘ２側の側壁１１ｃの内面に、前後方向に延びる凹部１６ｂが形成されており、下壁１１ｅの内面に、前後方向に延びる嵌合リブ１６ｃが形成されている。
【００３９】
光ファイバを保持したプラグには、前記嵌合リブ１６ａ，１６ｃに対応する溝が前後方向に連続して形成され、また前記凹部１６ｂに対向する凸部が前後方向に連続して形成されている。溝が嵌合リブ１６ａ，１６ｂに嵌合し、凸部が凹部１６ｂに嵌合するようにしてプラグがプラグ装着凹部１６内に装着されることで、プラグとプラグ連結部１１とがほとんど隙間が無く、がたつくことなく嵌着される。
【００４０】
図３および図５と図６に示すように、プラグ装着凹部１６の内部には、後側壁１１ａから前方（Ｙ１方向）に向けて延びるファイバソケット１７，１８が一体に形成されている。ファイバソケット１７とファイバソケット１８は横方向（Ｘ１−Ｘ２方向）に間隔を空けて設けられている。ファイバソケット１７の外側面１７ａおよびファイバソケット１８の外側面１８ａは共に円筒面である。
【００４１】
図６に示すように、Ｘ１側に位置するファイバソケット１７には、前方（Ｙ１方向）に開口するソケット凹部１７ｂが形成されている。このソケット凹部１７ｂの内周面は円筒面である。図４に示す連結部１３の中心部を前後に貫通している結合穴１３ｂは、前記ソケット凹部１７ｂの内部に連通している。Ｘ２側に位置するファイバソケット１８も前方に開口するソケット凹部１８ｂが形成され、このソケット凹部１８ｂの内周面は円筒面である。図４に示す連結部１４の中心部を前後に貫通している結合穴１４ｂは、前記ソケット凹部１８ｂの内部に連通している。
【００４２】
図１に示すように、ハウジング１０のモジュール装着部１２には、後方（Ｙ２方向）に開口する装着凹部６，７が形成されている。装着凹部６はＸ１側に形成され装着凹部７はＸ２側に形成されており、装着凹部６と装着凹部７は、分離壁８で区分されている。図６の断面図には、Ｘ１側の装着凹部６が示されている。装着凹部６は後方（Ｙ２）とＸ１方向に開放されており、Ｙ１側は内壁面６ｂで塞がれている。Ｘ１側に形成された前記連結部１３を前後に貫通する結合穴１３ｂは、前記装着凹部６の内部に連通している。Ｘ２側に形成された装着凹部７は後方（Ｙ２）へのみ開口しており、Ｙ１側は内壁面７ｂで塞がれている。Ｘ２側に形成された前記連結部１４を前後に貫通する結合穴１４ｂは、前記装着凹部７の内部に連通している。
【００４３】
図１に示すように、Ｘ１側に形成された装着凹部６の下部には、複数の端子挿入溝６ａが形成されている。同様に、Ｘ２側に形成された装着凹部７の下部には、複数の端子挿入溝７ａが形成されている。
【００４４】
図１と図２および図６に示すように、結合素子４は、透明な合成樹脂材料（光学樹脂材料）で形成されており、フランジ部４ａと、フランジ部４ａからＹ１方向に直線的に延びる導光部４ｂを有している。フランジ部４ａのＹ２側には位置決めリング部４ｃが一体に形成されており、この位置決めリング部４ｃの内部にレンズ面４ｄが形成されている。レンズ面４ｄは球面または非球面である。結合素子５は、前記結合素子４と同じものであり、フランジ部５ａと導光部５ｂと位置決めリング部５ｃおよびレンズ面５ｄを有している。
【００４５】
図６に示すように、結合素子４は、Ｘ１側の装着凹部６へ後方から装着される。結合素子４は、導光部４ｂが結合穴１３ｂ内に挿入され、フランジ部４ａが装着凹部６の内壁面６ｂに突き当てられて位置決めされる。同様に、結合素子５は、Ｘ２側の装着凹部７へ後方から装着される。結合素子５は、導光部５ｂが結合穴１４ｂに挿入され、フランジ部５ａが装着凹部７の内壁面７ｂに突き当てられて位置決めされる。
【００４６】
図６に示すように、一方の送受信モジュール２は合成樹脂のケース２Ａを有しており、このケース２Ａの前面に円形に窪む位置決め凹部２ａが形成されており、位置決め凹部２ａの中心にレンズ部２ｂが形成されている。ケース２Ａ内の受光素子または発光素子は前記レンズ部２ｂを介して、結合素子４のレンズ面４ｄに対向している。図１に示すように、送受信モジュール２のケース２ＡからはＸ１方向に突出する端子板２ｄが設けられ、この端子板２ｄに位置決め穴２ｅが形成されている。ケース２Ａの下側には、前記端子板２ｄから延びる端子およびその他の複数の端子から成る端子群２ｆが突出している。
【００４７】
他方の送受信モジュール３は、前記送受信モジュール２とＸ１−Ｘ２方向に対称形状である。図には現れていないがケース３Ａの前面には位置決め凹部が形成され、その中心にレンズ部が設けられて、ケース３Ａの内部の発光素子または受光素子がレンズ部を介して、結合素子５のレンズ面５ｄに対向している。図１に示すように、ケース３ＡからＸ２側に突出する端子板３ｄが設けられ、端子板３ｄに位置決め穴３ｅが開口している。またケース３Ａから下方へ複数の端子から成る端子群３ｆが突出している。
【００４８】
図６に示すように、Ｘ１側の装着凹部６内に装着される送受信モジュール２は、ケース２Ａの前面の位置決め凹部２ａが、結合素子４の位置決めリング部４ｃと嵌合し、端子板２ｄに形成された位置決め穴２ｅが、装着凹部６内の位置決め突起（図示せず）と嵌合して位置決めされる。また端子群２ｆの各端子は、装着凹部６の下側に形成された端子挿入溝６ａに挿入される。同様に、Ｘ２側の装着凹部７に装着される送受信モジュール３はケース３Ａの前面に形成された位置決め凹部が、結合素子５の位置決めリング部５ｃと嵌合し、また端子板３ｄに形成された位置決め穴３ｅが、装着凹部７内に設けられた位置決め突起（図示せず）と嵌合して位置決めされる。また端子群３ｆの各端子が、端子挿入溝７ａ内に挿入される。
【００４９】
図１に示すように、ハウジング１０のモジュール装着部１２に、第１のシールド部材２０が下側から装着される。第１のシールド部材２０は、導電性の金属板によって形成されている。
【００５０】
図１に示すように、第１のシールド部材２０は、Ｙ２側に後外部シールド部２１を有している。後外部シールド部２１のＸ１側の端部からＹ１方向へ向けて右外部シールド部２２が直角に折り曲げられ、後外部シールド部２１のＸ２側の端部からＹ１方向へ向けて左外部シールド部２３が直角に折り曲げられている。右外部シールド部２２のＹ１側の前端からは、Ｘ２方向に向けて右境界シールド部２４が直角に折り曲げられ、左外部シールド部２３のＹ１側の前端からは、Ｘ１方向に向けて左境界シールド部２５が直角に折り曲げられている。
【００５１】
図３と図４は、第１のシールド部材２０を前方から示している。右境界シールド部２４の下部には、Ｘ２方向に向けて凸部２４ａと凹部２４ｂが形成されており、左境界シールド部２５の下部には、Ｘ１方向に向けて凹部２５ａと凸部２５ｂが形成されている。凸部２４ａと凹部２５ａが合わされ、凹部２４ｂと凸部２５ｂが合わされることで、右境界シールド部２４と左境界シールド部２５とが同一平面となるように組み合わされている。
【００５２】
第１のシールド部材２０は、右境界シールド部２４および左境界シールド部２５と、後外部シールド部２１とが前後方向（Ｙ１−Ｙ２方向）で平行に対向し、右外部シールド部２２と左外部シールド部２３とが横方向（Ｘ１−Ｘ２方向）で平行に対向している。
【００５３】
図３と図４に示すように、右境界シールド部２４には、Ｘ２方向に向き且つ上下方向に延びる内縁部２４ｃと、この内縁部２４ｃの下端からＸ２方向に連続する下側対向縁部２４ｄが形成されている。下側対向縁部２４ｄよりもＸ２側には上方（Ｚ１方向）に延びる弾性変形可能な掛止片２４ｅが形成されており、掛止片２４ｅの上端に、Ｘ１方向へ突出するフック部２４ｆが一体に形成されている。左境界シールド部２５には、Ｘ１方向に向き且つ上下方向に延びる内縁部２５ｃと、内縁部２５ｃの下端からＸ１方向に連続する下側対向縁部２５ｄが形成されている。下側対向縁部２５ｄよりもＸ１側には上方に延びる弾性変形可能な掛止片２５ｅが形成されており、掛止片２５ｅの上端に、Ｘ２方向へ突出するフック部２５ｆが一体に形成されている。右境界シールド部２４の掛止片２４ｅと、左境界シールド部２５の掛止片２５ｅとの間には、上下に延びる介入凹部２６が形成されている。
【００５４】
図１と図３に示すように、第１のシールド部材２０の後外部シールド部２１には、Ｘ１側に押圧弾性片２７が形成され、Ｘ２側に押圧弾性片２８が形成されている。押圧弾性片２７の上端にＹ１方向へ凸状の押圧部２７ａが一体に形成されており、押圧弾性片２８の上端にＹ１方向へ凸状の押圧部２８ａが一体に形成されている。押圧弾性片２７と押圧弾性片２８は、押圧部２７ａと押圧部２８ａがＹ１方向へ向くように折り曲げられて、弾性変形可能となっている。
【００５５】
第１のシールド部材２０には、下端から下方へ突出する複数の接地端子から成る接地端子群２９が一体に形成されている。
【００５６】
図１に示すように、ハウジング１０に対して上方から第２のシールド部材３０が装着される。第２のシールド部材３０は、第１のシールド部材２０と同じ導電性の金属板によって形成されている。
【００５７】
図１と図２および図３に示すように、第２のシールド部材３０は、上保持シールド部３１を有しており、上保持シールド部３１のＸ１側の端部からＺ２方向へ直角に折り曲げられた右保持シールド部３２と、上保持シールド部３１のＸ２側の端部からＺ２方向へ直角に折り曲げられた左保持シールド部３３とが一体に形成されている。
【００５８】
図１に示すように、第２のシールド部材３０の左保持シールド部３３には、その一部が切り欠かれて内側に折り曲げられた一対の掛止爪３３ａ，３３ｂが形成されており、右保持シールド部３２にも同様に内側に折り曲げられた掛止爪３２ａが形成されている。第２のシールド部材３０がハウジング１０に対してＺ２方向へ装着されると、左保持シールド部３３が、プラグ連結部１１のＸ２側の側壁１１ｃの表面に設置され、掛止爪３２ａが側壁１１ｃの下部に形成された凹部１０ｅに掛止され、掛止爪３３ｂが側壁１１ｃの下部に形成された凹部１０ｆに掛止される。同様に、右保持シールド部３３が、プラグ連結部１１のＸ１側の側壁１１ｂの表面に設置され、掛止爪３２ａが側壁１１ｂの下部に形成された凹部に掛止される。これによって、第２のシールド部材３０がハウジング１０に固定される。
【００５９】
前記上保持シールド部３１には矩形状の開口部３１ａが形成されており、開口部３１ａよりもＹ２側に、上外部シールド部３４が前記上保持シールド部３１と一体に形成されている。第２のシールド部材３０がハウジング１０に固定されると、上保持シールド部３１が、プラグ連結部１１の上壁１１ｄの上面に設置されるとともに、上外部シールド部３４がモジュール装着部１２の上面にほぼ密着して設置される。上外部シールド部３４によって、モジュール装着部１２の上面のほぼ全域が覆われる。
【００６０】
第２のシールド部材３０には、前記上外部シールド部３４のＹ１側の縁部と連続し且つ前記開口部３１ａの縁部からＺ２方向へ折り曲げられた中央境界シールド部３５が一体に形成されている。
【００６１】
図１と図３および図４に示すように、中央境界シールド部３５は、右外縁部３５ａと左外縁部３５ｂが上下方向へ直線的に延びている。Ｘ１側の下部には右側の上側対向縁部３５ｃが形成され、Ｘ２側の下部には左側の上側対向縁部３５ｄが形成されている。上側対向縁部３５ｃと上側対向縁部３５ｄとの間には、下向きに突出する介入係合片３５ｅが一体に形成されている。
【００６２】
第２のシールド部材３０には、上外部シールド部３４のＹ２側の縁部から下向きに折り曲げられた補助シールド部３６が一体に形成されている。補助シールド部３６の下部には、補強片３６ａ，３６ｂが一体に形成されている。図２に示すように、補強片３６ａ，３６ｂはＹ１方向へ向けて山折りとなるように変形させられている。
【００６３】
上記構造の光コネクタ１の組み立て方法は以下の通りである。
図６に示すように、結合素子４の導光部４ｂが結合穴１３ｂ内に装着され、結合素子４のフランジ部４ａが、モジュール装着部１２のＸ１側の装着凹部６の内壁面６ｂに突き当てられて位置決めされる。同様に、結合素子５の導光部５ｂが結合穴１４ｂ内に装着され、結合素子５のフランジ部５ａが、モジュール装着部１２のＸ２側の装着凹部７の内壁面７ｂに突き当てられて位置決めされる。
【００６４】
送受信モジュール２はＸ１側の装着凹部６内に装着される。図６に示すように送受信モジュール２のケース２Ａの前面の位置決め凹部２ａが、結合素子４の位置決めリング部４ｃと嵌合し、図１に示す位置決め穴２ｅが装着凹部６内の位置決め突起と嵌合して、送受信モジュール２が位置決めされる。同様にして、Ｘ２側の装着凹部７内に送受信モジュール３が装着されて位置決めされる。また、送受信モジュール２から下側に延びる端子群２ｆは、装着凹部６の下側の端子挿入溝６ａ内に挿入され、送受信モジュール３から下側に延びる端子部３ｆは、装着凹部７の下側の端子挿入溝７ａ内に挿入される。
【００６５】
装着凹部６内に結合素子４と送受信モジュール２が装着され、装着凹部７内に結合素子５と送受信モジュール３が装着された後に、モジュール装着部１２に対して下側から第１のシールド部材２０が装着される。
【００６６】
図４に示すように、第１のシールド部材２０の右境界シールド部２４と左境界シールド部２５は、ハウジング１０に形成された溝部１５に対して下側から挿入され、右境界シールド部２４の内縁部２４ｃと下側対向縁部２４ｄとが、Ｘ１側の連結部１３の外側部１３ａに突き当てられ、または外側部１３ａに最小の隙間を介して対向させられる。同様に、左境界シールド部２５の内縁部２５ｃと下側対向縁部２５ｄとが、Ｘ２側の連結部１４の外側部１４ａに突き当てられ、または外側部１４ａに最小の隙間を介して対向させられる。また、右境界シールド部２４に形成された掛止片２４ｅと、左境界シールド部２５に形成された掛止片２５ｅとが、左右の連結部１３と連結部１４との間にＺ１方向へ向けて入り込む。
【００６７】
第１のシールド部材２０の後外部シールド部２１は、モジュール装着部１２の後部を覆うように設置される。そして後外部シールド部２１に形成された押圧弾性片２７の上端の押圧部２７ａが、送受信モジュール２のケース２Ａの後部２ｃを弾圧し、送受信モジュール２が結合素子４に押し付けられて、送受信モジュール２と結合素子４とが密着させられる。同様に、押圧弾性片２８の上端の押圧部２８ａが、送受信モジュール３のケース３Ａの後部３ｃを弾圧し、送受信モジュール３が結合素子５に押し付けられる。
【００６８】
また、第１のシールド部材２０の右外部シールド部２２で、モジュール装着部１２のＸ１側の表面が覆われ、左外部シールド部２３で、モジュール装着部１２のＸ２側の表面が覆われる。
【００６９】
第１のシールド部材２０が装着された後に、第２のシールド部材３０が上方からＺ２方向へ向けて装着される。第２のシールド部材３０の左保持シールド部３３が、プラグ連結部１１のＸ２側の側壁１１ｃの表面に設置され、右保持シールド部３２が、プラグ連結部１１のＸ１側の側壁１１ｂの表面に設置されて、掛止爪３２ａおよび掛止爪３３ａ，３３ｂによってプラグ連結部１１に固定される。このとき、上保持シールド部３１が、プラグ連結部１１の上壁１１ｄの上面に設置されるとともに、上外部シールド部３４がモジュール装着部１２の上面にほぼ密着して設置される。
【００７０】
第２のシールド部材３０が装着されると、図４に示すように、第２のシールド部材３０に形成された中央境界シールド部３５が、ハウジング１０の溝部１５の内部に入り込む。このとき中央境界シールド部３５の右外縁部３５ａが、第１のシールド部材２０の右境界シールド部２４の内縁部２４ｃに当接し、または最小の隙間を介して対向する。また、中央境界シールド部３５の左外縁部３５ｂが、第１のシールド部材２０の左境界シールド部２５の内縁部２５ｃに当接し、または最小の隙間を介して対向する。
【００７１】
さらに、図４に示すように、第２のシールド部材３０の中央境界シールド部３５の中央部から下方へ突出する介入係合片３５ｅが、右境界シールド部２４に設けられた掛止片２４ｅと、左境界シールド部２５に設けられた掛止片２５ｅの間の介入凹部２６内に入り込む。このときの介入力で、掛止片２５ｅがＸ１方向へ変形させられ、掛止片２５ｅがＸ２方向へ変形させられ、掛止片２４ｅの上端のフック部２４ｆがＸ１側の連結部１３の外側部１３ａの上端に掛止され、掛止片２５ｅの上端のフック部２５ｆが、Ｘ２側の連結部１４の外側部１４ａの上端に掛止される。
【００７２】
図４に示すように、第１のシールド部材２０に設けられた右境界シールド部２４と左境界シールド部２５、および第２のシールド部材３０に設けられた中央境界シールド部３５が、連結部１３と１４を除くほぼ全域において、プラグ連結部１１とモジュール装着部１２との間に位置している。そのため、プラグ連結部１１が位置する前方からの外部ノイズを、溝部１５内の右境界シールド部２４と左境界シールド部２５および中央境界シールド部３５で遮蔽できるようになる。
【００７３】
右境界シールド部２４と左境界シールド部２５との間の介入凹部２６の内部に、中央境界シールド部３５の介入係合片３５ｅが入り込んで凹凸嵌合することで、右境界シールド部２４と左境界シールド部２５および中央境界シールド部３５とが容易に分離しないように結合される。またフック部２４ｆが連結部１３の外側部１３ａに掛止され、フック部２５ｆが連結部１４の外側部１４ａに掛止されることで、第１のシールド部材２０と第２のシールド部材３０を、ハウジング１０に強固に固定できる。
【００７４】
第２のシールド部材３０が装着されると、図６に示すように、上外部シールド部３４のＹ２側の縁部から折り曲げられた補助シールド部３６が、第１のシールド部材２０の後外部シールド部２１の内側に入り込む。そして、補強片３６ａが、後外部シールド部２１と押圧弾性片２７との間に入り込み、補強片３６ｂが、後外部シールド部２１と押圧弾性片２８との間に入り込む。これにより、押圧弾性片２７と押圧弾性片２８のＹ２方向の変形が抑制され、押圧弾性片２７によって、送受信モジュール２が結合素子４にしっかりと押し付けられ、押圧弾性片２８によって、送受信モジュール３が結合素子５にしっかりと押し付けられる。
【００７５】
また、後外部シールド部２１において押圧弾性片２７，２８を形成するための切欠き部が、補強片３６ａと３６ｂで内側から覆われるために、切欠き部からの外部ノイズの進入を防止しやすくなり、シールド効果を高めることができる。
【００７６】
上記光コネクタ１は、第１のシールド部材２０と第２のシールド部材３０を互いに逆の方向からハウジング１０に向けて装着することで、モジュール装着部１２の後面と上面および両側面をシールドでき、さらにプラグ連結部１１に向く前面もシールドすることができる。よって、送受信モジュール２，３の誤動作や光信号へのノイズの重畳などを防止しやすくなる。
【００７７】
ハウジング１０は、プラグ連結部１１とモジュール装着部１２との間に溝部１５を有し、この溝部１５内に右境界シールド部２４と左境界シールド部２５および中央境界シールド部３５が差し込まれる構造であるため、プラグ連結部１１とモジュール装着部１２とを分離しなくても、モジュール装着部１２の前後左右および上部をシールド部材で覆うことができる。プラグ連結部１１とモジュール装着１２とが同じハウジング１０として一体に形成されているため、結合素子４，５と送受信モジュール２，３とを位置決めしやすい。
【００７８】
光ファイバを保持したプラグは、プラグ連結部１１のプラグ装着凹部１６に前方から装着される。プラグに保持されている光ファイバは、ファイバソケット１７，１８のソケット凹部１７ｂ，１８ｂ内に装着される。ファイバソケット１７に装着された光ファイバのコアは結合素子４を介して送受信モジュール２に光学的に結合され、ファイバソケット１８に装着された光ファイバのコアは結合素子５を介して送受信モジュール３に光学的に結合される。
【００７９】
なお、本発明は前記実施の形態に限定されるものではなく、例えば、図１に示す実施の形態において、第２のシールド部材３０に上外部シールド部３４が設けられていなくてもよい。または、第２のシールド部材３０を設けず、第１のシールド部材２０のみをハウジング１０に装着してもよい。
【符号の説明】
【００８０】
１  光コネクタ
２，３  送受信モジュール
４，５  結合素子
６，７  装着凹部
１０  ハウジング
１１  プラグ連結部
１２  モジュール装着部
１３，１４  連結部
１３ｂ，１４ｂ  結合穴
１５  溝部
１６  プラグ装着凹部
２０  第１のシールド部材
２１  後外部シールド部
２２  右外部シールド部
２３  左外部シールド部
２４  右境界シールド部
２４ｅ  掛止片
２５  左境界シールド部
２５ｅ  掛止片
２７，２８  押圧弾性片
３０  第２のシールド部材
３４  上外部シールド部
３５  中央境界シールド部
３５ｅ  介入係合片
３６ａ，３６ｂ  補強片
【図１】
2010210655.tif 000003
【図２】
2010210655.tif 000004
【図３】
2010210655.tif 000005
【図４】
2010210655.tif 000006
【図５】
2010210655.tif 000007
【図６】
2010210655.tif 000008